(57)【要約】【課題】  所望の画像データを容易に探し出すことができる超音波診断装置及び医用画像閲覧方法を提供する。【解決手段】  被検体Ｐの検査情報の設定操作を行う操作部６と、操作部６からの操作信号を受付けて操作ログＩＤに変換する操作受付部１１０と、適合した操作ログＩＤの受付時刻を発行する操作ログＩＤ判別部１２０と、検査画像データを保存する画像情報記憶部１３０と、検査画像データを読み出して表示部５に再生表示させるインデックス作成部１４０とを備え、画像情報生成部１３０は操作ログＩＤ判別部１２０から発行された受付時刻の所定時間後の時刻に基づいた検索情報を、前記時刻における検査画像データに付帯させて保存し、インデックス作成部１４０は画像情報記憶部１３０から第１の検査画像データの検索情報を読み出して、チャプタインデックスを作成した後、表示部５に表示する。【選択図】  図１
2006075513.tif 000002
【特許請求の範囲】
【請求項１】
被検体の情報及び撮影検査条件の設定操作を行う操作手段と、
前記被検体の情報及び撮影検査条件からなる検査情報または前記操作手段の操作に応じて更新された検査情報を一時保存すると共に、装置全体の制御を行う制御手段と、
前記被検体に対して超音波の送受波を行う超音波プローブと、
前記超音波プローブを駆動する駆動信号の送信と、前記超音波プローブからの超音波受信信号の受信及び処理を行う信号処理手段と、
前記信号処理手段からの前記超音波受信信号から検査画像データ及びその検査画像データのサムネイルデータを生成する画像データ生成手段と、
前記画像データ生成手段により生成された前記検査画像データを表示する表示手段と、
前記操作手段からの操作信号を受信して操作ログＩＤに変換する操作受付手段と、
前記操作受付手段からの前記操作ログＩＤが予め登録されているログＩＤと一致するか否かを判別する操作ログＩＤ判別手段と、
前記操作ログＩＤ判別手段の判別によって一致した場合、少なくとも前記操作ログＩＤ判別手段から出力された時刻情報とその時刻情報の時刻における前記検査情報とを、その時刻に前記画像データ生成手段から生成出力される前記検査画像データ及びサムネイルデータに付帯させて保存する画像情報記憶手段と、
前記画像情報記憶手段から前記被検体の前記時刻毎に対応する前記検査画像データの検査情報を読み出して、その検査情報に基づいてチャプタ及びそのチャプタのインデックス画面を作成して前記表示手段に表示するインデックス作成手段とを
有することを特徴とする超音波診断装置。
【請求項２】
前記時刻は、前記操作受付手段が前記操作信号を受信した時刻から所定時間後の時刻であることを特徴とする請求項１に記載の超音波診断装置。
【請求項３】
前記時刻は、前記操作信号が発生した時刻から所定時間後の時刻であることを特徴とする請求項１に記載の超音波診断装置。
【請求項４】
前記制御手段は、前記表示手段と前記操作手段とを用いて、前記操作ログＩＤ判別手段に前記操作ログＩＤに対応するログＩＤを予め登録することができることを特徴とする請求項１に記載の超音波診断装置。
【請求項５】
前記制御手段は、前記画像情報記憶手段から前記検査情報を読み出し、少なくとも「検査開始時刻」、「被検体ＩＤ」、「検査種別」を有する検査リスト画面を前記表示手段に表示することを特徴とする請求項１に記載の超音波診断装置。
【請求項６】
前記インデックス作成手段は、前記検査リスト画面で選択された前記被検体の前記インデックス画面として、前記時刻毎の１つまたは複数の前記チャプタと、選択されたチャプタの前記検査画像データとを前記表示手段に表示することを特徴とする請求項５に記載の超音波診断装置。
【請求項７】
前記インデックス作成手段は、前記チャプタとして前記時刻の前記サムネイルデータとそのサムネイルデータの前記検査情報とを前記表示手段に同時に表示することを特徴とする請求項６に記載の超音波診断装置。
【請求項８】
前記ログＩＤは、前記撮影検査条件の画像データ生成モードに対応していることを特徴とする請求項１に記載の超音波診断装置。
【請求項９】
前記ログＩＤは、前記撮影検査条件の超音波プローブの種類に対応していることを特徴とする請求項１に記載の超音波診断装置。
【請求項１０】
前記画像情報記憶手段は、前記操作手段からの静止画像保存操作或いは動画像保存操作における検査画像データに、少なくとも前記検査画像データの取り込み時刻、その時刻におけるサムネイルデータ、及びその時刻における検査情報を付帯させて保存することを特徴とする請求項１に記載の超音波診断装置。
【請求項１１】
前記インデックス作成手段は、前記画像情報記憶手段から前記検査情報を読み出して、その検査情報に基づいて第２チャプタのインデックスを作成して前記表示手段に表示することを特徴とする請求項１０に記載の超音波診断装置。
【請求項１２】
操作手段から入力された被検体の情報や撮影検査条件の検査情報を予め保存し、
前記操作手段からの操作信号を受信して操作ログＩＤに変換し、
前記操作ログＩＤが予め登録されているログＩＤと一致するか否かを判別し、
前記判別によって一致した場合、少なくとも判別された時刻とその時刻の前記検査情報とを、その時刻における前記撮影検査条件に基づく超音波撮影によって生成された検査画像データ及びその検査画像データのサムネイルデータに付帯させて画像情報記憶手段に保存し、
前記画像情報記憶手段から前記被検体の前記時刻毎に対応する前記検査画像データの検査情報を読み出して、その検査情報に基づいてチャプタ及びこのチャプタのインデックス画面を作成して表示手段に表示する
ことを特徴とする医用画像閲覧方法。
【請求項１３】
前記表示手段と前記操作手段とを用いて、前記操作ログＩＤに対応するログＩＤを予め登録することができることを特徴とする請求項１２に記載の医用画像閲覧方法。
【請求項１４】
前記画像情報記憶手段から前記検査情報を読み出し、少なくとも「検査開始時刻」、「被検体ＩＤ」、「検査種別」を有する検査リスト画面を前記表示部に表示することを特徴とする請求項１２に記載の医用画像閲覧方法。
【請求項１５】
前記検査リスト画面で選択された前記被検体の前記インデックス画面として、前記時刻毎の１つ又は複数の前記チャプタと、選択されたチャプタの前記検査画像データとを前記表示手段に表示することを特徴とする請求項１２に記載の医用画像閲覧方法。
【請求項１６】
前記チャプタとして前記時刻の前記サムネイルデータとそのサムネイルデータの前記検査情報とを前記表示手段に同時に表示することを特徴とする請求項１５に記載の医用画像閲覧方法。
【請求項１７】
前記ログＩＤは、前記撮影検査条件の画像データ生成モードに対応していることを特徴とする請求項１２に記載の医用画像閲覧方法。
【請求項１８】
前記ログＩＤは、前記撮影検査条件の超音波プローブの種類に対応していることを特徴とする請求項１２に記載の医用画像閲覧方法。
【請求項１９】
前記画像情報記憶手段は、前記操作手段からの静止画像保存操作或いは動画像保存操作における検査画像データに、少なくとも前記検査画像データの取り込み時刻、その時刻におけるサムネイルデータ、及びその時刻からなる検査情報を付帯させて保存することを特徴とする請求項１２に記載の医用画像閲覧方法。
【請求項２０】
前記画像情報記憶手段から前記検査情報を読み出して、その検査情報に基づいて第２チャプタのインデックスを作成して前記表示手段に表示することを特徴とする請求項１９に記載の医用画像閲覧方法。
【発明の詳細な説明】
【技術分野】
【０００１】
本発明は、超音波診断装置及び医用画像閲覧方法に係り、特に超音波撮影部から得られた画像データを保存し、その画像データの検索を行う超音波診断装置及び医用画像閲覧方法に関する。
【背景技術】
【０００２】
近年の超音波診断装置を用いた医療検査、特に循環器系検査では、超音波検査士、ソノグラファーなどの操作者が患者を検査し、超音波診断部によって得られた画像データを記録メディアに録画、或いはフィルムに写真出力して診察者の診断を仰ぐために回付し、医師などの診察者が、その記録メディアから再生した画像データや、或いはフィルム写真の読影により、医療診断を行う運用が普及しつつある。
【０００３】
例えば、超音波診断装置の超音波診断部によって得られた画像データをビデオカセットレコーダ（ＶＣＲ）を用いて磁気テープ等の記録メディアに録画しておき、医師などの診察者は、検査毎に収録された記録メディアの中から所望の患者の画像データを探し出して診察を行うことが実施されている。
【０００４】
このように、超音波撮影を行う操作者と診察者が異なる場合、超音波撮影の操作者がどのタイミングで何を撮影し録画しようとしたかが正しく診察者に伝達されないと、診察者は画像データが録画された記録メディアの中から早送りや巻き戻しなどの操作を繰り返し行って、診察に必要な所望の画像データを探し出さなければならず、非常に手間がかかる問題があった。
【０００５】
そこで、超音波撮影の画像データ撮影時刻やＶＣＲのカウンタの情報と一緒に患者のＩＤ、氏名、検査等の情報のメモを作成して診断者に伝達する方法や、録画する画像データの先頭にアドレス信号を記録する方法により、診察者が所望の画像データを検索しやすい工夫が提案されている（例えば、特許文献１参照。）。
【特許文献１】特開平３−２８９９４６号公報
【発明の開示】
【発明が解決しようとする課題】
【０００６】
しかしながら、従来の方法では、メモの取り忘れやアドレス信号の記録忘れなどの人為的なミスが発生すると、ＶＣＲに録画された画像データとメモに記載された情報との関連付けができなくなってしまう問題がある。また、画像データが大量に存在する場合、超音波撮影の操作者にとっては、メモを取る煩わしさやアドレス信号を記録する煩わしさの問題もある。
【０００７】
本発明は、上記問題点を解決するためになされたもので、所望の画像データを容易に検索することができる超音波診断装置及び医用画像閲覧方法を提供することを目的とする。
【課題を解決するための手段】
【０００８】
上記問題を解決するために、請求項１に係る本発明の超音波診断装置は、被検体の情報及び撮影検査条件の設定操作を行う操作手段と、前記被検体の情報及び撮影検査条件からなる検査情報または前記操作手段の操作に応じて更新された検査情報を一時保存すると共に、装置全体の制御を行う制御手段と、前記被検体に対して超音波の送受波を行う超音波プローブと、前記超音波プローブを駆動する駆動信号の送信と、前記超音波プローブからの超音波受信信号の受信及び処理を行う信号処理手段と、前記信号処理手段からの前記超音波受信信号から検査画像データ及びその検査画像データのサムネイルデータを生成する画像データ生成手段と、前記画像データ生成手段により生成された前記検査画像データを表示する表示手段と、前記操作手段からの操作信号を受信して操作ログＩＤに変換する操作受付手段と、前記操作受付手段からの前記操作ログＩＤが予め登録されているログＩＤと一致するか否かを判別する操作ログＩＤ判別手段と、前記操作ログＩＤ判別手段の判別によって一致した場合、少なくとも前記操作ログＩＤ判別手段から出力された時刻情報とその時刻情報の時刻における前記検査情報とを、その時刻に前記画像データ生成手段から生成出力される前記検査画像データ及びサムネイルデータに付帯させて保存する画像情報記憶手段と、前記画像情報記憶手段から前記被検体の前記時刻毎に対応する前記検査画像データの検査情報を読み出して、その検査情報に基づいてチャプタ及びそのチャプタのインデックス画面を作成して前記表示手段に表示するインデックス作成手段とを有することを特徴とする。
【０００９】
また、請求項１２に係る医用画像閲覧方法は、操作手段から入力された被検体の情報や撮影検査条件の検査情報を予め保存し、前記操作手段からの操作信号を受信して操作ログＩＤに変換し、前記操作ログＩＤが予め登録されているログＩＤと一致するか否かを判別し、前記判別によって一致した場合、少なくとも判別された時刻とその時刻の前記検査情報とを、その時刻における前記撮影検査条件に基づく超音波撮影によって生成された検査画像データ及びその検査画像データのサムネイルデータに付帯させて画像情報記憶手段に保存し、前記画像情報記憶手段から前記被検体の前記時刻毎に対応する前記検査画像データの検査情報を読み出して、その検査情報に基づいてチャプタ及びこのチャプタのインデックス画面を作成して表示手段に表示することを特徴とする。
【発明の効果】
【００１０】
本発明によれば、検査に関する操作に基づいて画像データに検索情報が付帯されて保存されるので、所望の画像データを容易に検索することができるようになり診断の効率を図ることができる。
【発明を実施するための最良の形態】
【００１１】
以下、本発明の実施例を、図面を参照して説明する。
【実施例１】
【００１２】
以下に、本発明に係る超音波診断装置の実施例１を、図１乃至図１０を参照して説明する。
【００１３】
図１は、実施例１に係る超音波診断装置の構成を示したブロック図である。この超音波診断装置２００は、被検体Ｐの超音波撮影を行う超音波診断部１０と、この超音波診断部１０に接続され、超音波診断部１０からの被検体Ｐの画像データの録画（保存）及び再生を行う画像記憶閲覧部１８０とを備えている。
【００１４】
次に、超音波診断部１０の構成について説明する。超音波診断部１０は、被検体Ｐに対して超音波の送受信を行う超音波プローブ１と、この超音波プローブ１に対して駆動信号の送信と反射信号の受信を行い、更に超音波プローブ１から受信した反射信号を処理する送受信部２とを備えている。
【００１５】
また、超音波診断部１０は、送受信部２において処理された信号からＢモードデータ、カラードプラデータ等のデータを生成するための信号を処理する受信信号処理部３と、受信信号処理部３において生成されたＢモードデータ、カラードプラデータ等のデータからＢモード画像データ、カラードプラ画像データ等の画像データを生成する画像データ生成部４と、画像データ生成部４から受信したＢモード画像データ、カラードプラ画像データ等の画像データを表示する表示部５とを備えている。
【００１６】
更に、超音波診断部１０は、被検体Ｐの情報や各種コマンド信号を入力する操作部６と、画像記憶閲覧部１８０と信号の送受信を行うためのインターフェース７と、上述したこれらのユニットを統括して制御するシステム制御部８とを備えている。
【００１７】
超音波プローブ１は、被検体Ｐの表面にその前面を接触させ超音波の送受信を行うものであり、１次元に配列された複数個の圧電振動子をその先端部に有している。この圧電振動子は電気音響変換素子であり、送信時には電気パルス（駆動信号）を超音波パルス（送信超音波）に変換し、また受信時には超音波反射波（受信超音波）を電気信号（受信信号）に変換する機能を有している。
【００１８】
そして、超音波プローブ１には、セクタ走査対応、リニア走査対応、コンベックス走査対応等の種類があり、複数の超音波プローブ１を予め送受信部２に接続可能な接続部に取り付けておき、超音波撮影に応じて操作部６から任意の超音波プローブ１を選択設定することにより送受信部２に接続されるようになっている。
【００１９】
送受信部２は、図示しないが超音波プローブ１から送信超音波を発生するための軌道信号を生成する超音波送信部と、超音波プローブ１の圧電振動子から得られる複数チャンネルの受信信号に対して整相加算を行う超音波受信部とを備えている。
【００２０】
受信信号処理部３は、送受信部２からの整相加算された受信信号に対して信号処理を行いＢモードデータ、カラードプラデータ等のデータを生成して、画像データ生成部４に出力する。
【００２１】
画像データ生成部４は、図示しないがデータ記憶回路を備えており、受信信号処理部３から出力されたデータをこのデータ記憶回路に保存し、保存されたデータの中から所定の時相における１つあるいは複数個のデータを読み出し、この読み出したデータに対して必要に応じてデータ処理を行い、更に画像表示のための走査変換（スキャンコンバージョン）を行なって、Ｂモード画像データ、カラードプラ画像データ等の画像データを生成して表示部５に表示する。
【００２２】
また、画像データ生成部４は、生成した画像データを縮小して縮小画像データ（サムネイルデータ）を生成する機能も有している。そして、画像データ生成部４において生成された画像データやサムネイルデータは、インターフェース７を介して画像記憶閲覧部１８０へ送信される。
【００２３】
表示部５は、ＣＲＴや液晶パネルなどのカラーモニタを備え、画像データ生成部４から出力された画像データや、インターフェース７を介して画像記憶閲覧部１８０から受信した後述する検査リスト、第１チャプタインデックス、第２チャプタインデックスなどのチャプタインデックス、画像情報記憶部１３０からの画像データ等の表示を行う。
【００２４】
操作部６は、操作パネル上にキーボード、トラックボール、マウス等の入力デバイスと表示パネルを備え、被検体Ｐの被検体ＩＤ、氏名、検査種別などの被検体情報の入力、画像データ生成モード（Ｂモード画像データ、カラードプラ画像データなど）や、超音波プローブの種類などの撮影条件、動画像保存操作時における動画像録画時間等の設定、検査開始及び検査終了操作、録画開始及び録画終了操作、静止画像及び動画像保存操作等の操作入力が上記入力デバイスと表示パネルを用いて行なわれる。
【００２５】
そして、操作部６において操作された様々な操作信号が、システム制御部８及びインターフェース７を介して画像記憶閲覧部１８０に送信される。
【００２６】
システム制御部８は、図示しないＣＰＵと記憶回路を備え、操作部６からの検査情報に基づいて前記ＣＰＵが、送受信部２、受信信号処理部３、画像データ生成部４、表示部５、インターフェース７などの各ユニットの制御、超音波診断部１０全体の制御、更にはインターフェース７を介して画像記憶閲覧部１８０の制御を統括して行う。また、システム制御部８の記憶回路には、操作部６から設定された被検体Ｐの情報、撮影条件、動画像録画時間などの検査情報が保存される。
【００２７】
次に、画像記憶閲覧部１８０の構成について説明する。画像記憶閲覧部１８０は、超音波診断部１０と信号の送受信を行うためのインターフェース１００と、超音波診断部１０の操作部６からの操作信号を受付けて操作ログＩＤに変換し、その操作ログＩＤに受付時刻を付帯させる操作受付部１１０と、操作受付部１１０からの操作ログＩＤを判別し、適合した操作ログＩＤの受付時刻から所定時間後の時刻の情報（区切時刻情報）を発行する操作ログＩＤ判別部１２０とを備えている。
【００２８】
また、画像記憶閲覧部１８０は、インターフェース１００を介して超音波診断部１０からの画像データ、サムネイルデータ、検査情報、静止画像或いは動画像保存操作時刻情報などの受信信号、操作ログＩＤ判別部１２０からの区切時刻情報等を保存する画像情報記憶部１３０と、画像情報記憶部１３０からの区切時刻情報、静止画像及び動画像保存操作時刻情報などに基づいた第１検索情報、第２検索情報などの検索情報を読み出してチャプタインデックスを作成するインデックス作成部１４０と、画像記憶閲覧部１８０内のこれらのユニットを制御する制御部１５０とを備えている。
【００２９】
操作受付部１１０は、超音波診断部１０の操作部６からの検査種別設定操作、超音波プローブ種類設定操作、画像データ生成モード設定操作等の操作による操作信号を受信し、各操作信号に対応した操作ログＩＤに変換し、その操作ログＩＤに受付時刻を付帯させて操作ログＩＤ判別部１２０へ出力する。
【００３０】
操作ログＩＤ判別部１２０は、操作受付部１１０からの操作ログＩＤを判別するために設けられており、予め設定された区切操作のログＩＤに適合する場合に操作ログＩＤの受付時刻からｔ時間後の時刻を区切時刻情報として発行し、画像情報記憶部１３０へ出力する。
【００３１】
画像情報記憶部１３０は、ＤＶＤなどの長時間記憶可能な記録メディアを備え、操作部６からの録画開始操作信号により、画像データ生成部４において生成出力される画像データを保存する。
【００３２】
また、画像情報記憶部１３０は、操作部６からの録画開始操作信号により、上記画像データに、システム制御部８の記憶回路に保存されている検査情報、録画開始直後に画像データ生成部４において生成出力される画像データのサムネイルデータ（録画開始サムネイルデータ）、及び録画開始操作信号により区切りとなる時刻（録画開始時刻）を含む第１検索情報（録画開始検索情報）を付帯させて保存する。
【００３３】
録画開始後、画像情報記憶部１３０は、操作ログＩＤ判別部１２０のログＩＤの判別に基づいて発行された区切時刻情報の時刻における画像データを保存するために、その時刻に画像データ生成部４において生成出力される画像データに、その時刻に画像データ生成部４において生成出力されるサムネイルデータ（区切サムネイルデータ）、その時刻にシステム制御部８の記憶回路に保存されている検査情報、及びその時刻からなる第１検索情報（区切検索情報）を付帯させて保存する。
【００３４】
最後に、画像情報記憶部１３０は、操作部６からの録画終了操作信号により、録画終了時に画像データ生成部４において生成出力された画像データ（検査画像データ）の保存を終了すると共に、録画終了時にシステム制御部８の記憶回路に保存されている検査情報、及び画像データ生成部４からのサムネイルデータを付帯させて保存する。
【００３５】
従って、画像情報記憶部１３０には、画像データ生成部４からの検査画像データが録画開始時刻と最初の区切時刻情報の時刻間、隣り合う区切時刻情報の時刻間、及び最後の区切時刻情報の時刻と録画終了時刻間によって区分され、この区分された画像データ（区分画像データ）には対応した録画開始検索情報或いは区切検索情報が付帯されて保存することができることから、後の診察者による画像データの検索が容易となる。
【００３６】
インデックス作成部１４０は、画像情報記憶部１３０に保存されている各検査画像データの検査情報を読み出して、各検査画像データに対応した検査リストを作成する。また、インデックス作成部１４０は、画像情報記憶部１３０に保存されている各検査画像データから録画開始検索情報、区切検索情報の第１検索情報を読み出して、各第１検索情報から第１チャプタを作成し、更に各第１チャプタを予め設定した順に並べた第１チャプタインデックスを作成する。
【００３７】
また、インデックス作成部１４０は、画像情報記憶部１３０に保存されている各検査画像データから第２検索情報を読み出して、各第２検索情報から各第２チャプタを作成し、更に各第２チャプタを予め設定した順に並べて第２チャプタインデックスを作成する。そして、インデックス作成部１４０は、作成した第１チャプタインデックス或いは第２チャプタインデックスをインターフェース１００、インターフェース７を介して超音波診断部１０の表示部５へ送信する。
【００３８】
更に、インデックス作成部１４０は、操作部６からの再生操作信号により、画像情報記憶部１３０から検査画像データや区切画像データの読み出しを行い、その画像データをインターフェース１００、インターフェース７を介して超音波診断部１０の表示部５へ送信する。
【００３９】
制御部１５０は、システム制御部８から供給される画像記憶閲覧部１８０の制御信号に基づいて、インターフェース１００、操作受付部１１０、操作ログＩＤ判別部１２０、画像情報記憶部１３０、インデックス作成部１４０などの各ユニットを制御する。
【００４０】
以下、図１乃至図１０を参照して、実施例１の動作を説明する。まず図２は、検査における超音波撮影の操作の手順と、その操作に連動する超音波診断装置２００の動作を示したフローチャートである。
【００４１】
超音波診断装置２００の操作者が、予めセクタ走査対応、リニア走査対応、コンベックス走査対応等の超音波プローブ１を超音波診断部１０の接続部に取り付けた後、超音波診断装置２００の電源を入れる。そして、操作部６からの表示操作により、区切操作設定画面を操作部６の表示パネルに表示させて区切操作の設定を行う。
【００４２】
図３は、区切操作を設定するための区切操作設定画面の一例を示した図である。この区切操作画面６１は、「区切操作項目」の欄と「区切操作の設定」の欄からなる。
【００４３】
「区切操作項目」の欄には、例えば「画像データ生成モード設定操作」、「超音波プローブ種類設定操作」、「Ａ操作」、「Ｅ操作」、「検査種別設定操作」等の操作部６による様々な操作の種類（ログＩＤ）が表示される。
【００４４】
そして、「画像データ生成モード設定操作」の欄、「超音波プローブ種類設定操作」の欄などの各区切操作項目に対応して入力用の四角枠が設けられており、操作部６から四角枠に「０」或いは「１」を設定できるようになっている。そして、四角枠に「１」を設定した場合には、操作部６で対応した「区切操作項目」の操作が行われたときの操作信号が、画像情報記憶部１３０に検査画像データを保存するタイミングとして適用され、「０」を設定した場合には適用されないようになっている。
【００４５】
このように、画像データの検索情報として役立つ操作項目を区切操作設定画面６１を用いて設定しておくことにより、検査に必要な操作が操作部６で行われるたびに、画像情報記憶部１３０にその時点の検査画像データが区分されて保存されることになる。
【００４６】
ここでは、例えば「画像データ生成モード設定操作」及び「超音波プローブ種類設定操作」の四角枠に「１」を設定し、「Ａ操作」、「Ｅ操作」、・・・「検査種別設定操作」などの四角枠には「０」を設定したとして、以下に動作を説明する。
【００４７】
次に、操作者は、被検体ＰのＰ検査を行うために操作部６から被検体Ｐの被検体情報、撮影条件等の検査情報の設定入力を行う。なお、被検体情報の検査種別は、操作部６の検査種別プリセットボタン操作により予め診察部位毎に標準的な撮影条件が設定されている。
【００４８】
ここでは、操作部６から例えば被検体ＩＤ「７９０３０３１０」、被検体の氏名「Ｙ．Ｔ」、検査種別「腹部」、画像データ生成モード「Ｂモード画像データ」、超音波プローブの種類「コンベックス走査対応」、及び動画像録画時間「５秒」が入力或いは選択設定されたとする（図２のステップＳ０）。
【００４９】
次に、操作部６からの検査開始操作信号により（図２のステップＳ１）、システム制御部８が内部の記憶回路に、被検体ＰのＰ検査における検査情報に検査開始時刻（例えば、「２００４／０６／２２  １０：５０：１３」）を付加した検査情報Ｐ−１を保存する。そして、超音波診断部１０における超音波撮影が開始される。
【００５０】
超音波撮影は、超音波プローブ１を被検体Ｐの腹部に当てることにより、送受信部２、受信信号処理部３を経た画像データから画像データ生成部４でＢモード画像データが生成されて、表示部５にリアルタイム表示される。そして、操作部６からの例えば時刻Ｔ０における録画開始操作信号により（図２のステップＳ２）、画像情報記憶部１３０では画像データ生成部４において生成出力されるＰ検査の画像データの保存が開始される。即ち、制御部１５０は、時刻Ｔ０に画像データ生成部４において生成出力されるＢモード画像データのＰ検査画像データに、時刻Ｔ０における録画開始サムネイルデータ、時刻Ｔ０にシステム制御部８に保存されている検査情報Ｐ−１、及び時刻Ｔ０からなる録画開始検索情報ａを付帯させて画像情報記憶部１３０に保存する。
【００５１】
図４は、操作部６からの録画開始操作直後に表示部５に表示された画像の一例を示した図である。表示部５の画面５１には、録画開始直後に画像データ生成部４において生成出力された被検体Ｐの腹部におけるＢモード画像データに対応したＢモード画像５１−１が表示されている。そのＢモード画像データのサムネイルデータが、録画開始サムネイルデータに一致する。
【００５２】
次に、操作部６からのＡ操作により（図２のステップＳ３）、操作受付部１１０がＡ操作の信号を受信してＡ操作ログＩＤに変換する。そして、操作受付部１１０は、そのＡ操作ログＩＤに受付時刻の時刻Ｔ１を付加した情報Ａを操作ログＩＤ判別部１２０へ出力する。操作ログＩＤ判別部１２０は、操作受付部１１０からの情報Ａを判別するために、図３の区切操作設定画面６１で予め設定された区切操作のログＩＤと照合する。図３の例では、「Ａ操作」は、区切操作としては設定されていないので、操作ログＩＤ判別部１２０において不適合と判別され、情報Ａの時刻Ｔ１は画像情報記憶部１３０へ出力されない。なお、「操作Ａ」に該当する検査情報は含まれていないので、検査情報Ｐ−１は変更されることはない。
【００５３】
次に、操作者は、診察部位を例えば心臓部に変更するために、超音波プローブ１を被検体Ｐの胸部へ移動し、また操作部６から検査種別設定操作のために心臓部の検査種別プリセットボタンを入力したとする。
【００５４】
操作部６からの検査種別設定操作信号により（図２のステップＳ４）、システム制御部８の記憶回路には、検査情報Ｐ−１に検査種別の変更情報と変更時刻を追加した検査情報Ｐ−２が変更保存される。
【００５５】
そして、操作受付部１１０は、操作部６からの検査種別設定操作信号を受信して、その操作の操作ログＩＤに変換する。そして、操作受付部１１０は、その操作ログＩＤに受付時刻Ｔ２を付加した情報Ｂを操作ログＩＤ判別部１２０へ出力する。操作ログＩＤ判別部１２０は、操作受付部１１０からの情報Ｂを判別するために、同様に操作設定画面６１で設定された区切操作のログＩＤと照合する。図３の例では、この「検査種別設定操作」も区切操作としては設定されていないので、操作ログＩＤ判別部１２０において不適合と判別され、情報Ｂの時刻Ｔ２は画像情報記憶部１３０へ出力されない。
【００５６】
次に、操作者は、例えばセクタ走査対応の超音波プローブ１に持ち替えて、超音波プローブの種類をセクタ走査対応への超音波プローブ１に変更するために、操作部６から超音波プローブ種類設定操作を行ったとする。
【００５７】
操作部６からの超音波プローブ種類変更操作信号により（図２のステップＳ５）、システム制御部８の内部記憶回路には、検査情報Ｐ−２に超音波プローブの種類の変更情報と変更時刻を追加した検査情報Ｐ−３が変更保存される。
【００５８】
そして、操作受付部１１０は、操作部６からの超音波プローブ種類設定操作信号を受信して、その操作の操作ログＩＤに変換する。そして、操作受付部１１０は、その操作ログＩＤに受付時刻Ｔ３を付加した情報Ｃを操作ログＩＤ判別部１２０へ出力する。操作ログＩＤ判別部１２０は、操作受付部１１０からの情報Ｃを判別するために、同様に操作設定画面６１で設定された区切操作のログＩＤと照合する。図３の例では、この「超音波プローブ種類設定操作」は、区切操作として設定されているので、操作ログＩＤ判別部１２０において適合と判別され、Ｐ検査画像データの録画を行うために、情報Ｃの時刻Ｔ３からｔ時間後の時刻Ｔ３ｔが、画像情報記憶部１３０へ区切時刻情報として出力される。
【００５９】
画像情報記憶部１３０は、システム制御部８の制御を受ける制御部１５０の制御に基づいて、この時刻Ｔ３ｔに画像データ生成部４において生成出力されるＢモード画像データのＰ検査データに、時刻Ｔ３ｔに画像データ生成部４において生成出力される区切サムネイルデータ、時刻Ｔ３ｔにシステム制御部８の内部記憶回路に保存されている検査情報Ｐ−３、及び時刻Ｔ３ｔからなる区切検索情報ｂを付帯させて保存する。
【００６０】
そして、画像情報記憶部１３０のＰ検査画像データには、録画開始時刻Ｔ０と時刻Ｔ３ｔによって区分される区分画像データａが形成される。
【００６１】
なお、操作部６からの操作信号が例えば超音波プローブ種類変更操作信号などの場合、送受信部２、受信信号処理部３、画像データ生成部４における動作変更に所定の時間を要し、その変更操作入力タイミング直後に操作ログＩＤ判別部１２０で適合判別された操作ログＩＤの受付時刻では、画像データ生成部４からその変更操作後の正常な画像データを生成出力できず、サムネイルデータも鮮明でないデータになるなどして有効なサムネイルデータが生成されないことがある。
【００６２】
そこで、操作ログＩＤ判別部１２０で適合判定された操作ログＩＤの受付時刻からｔ時間後の時刻にすることにより、操作部６からの全ての区切操作の信号に対して、画像データ生成部４からその区切操作信号に基づいた鮮明なサムネイルデータデータが生成出力されるようになっている。
【００６３】
図５は、時刻Ｔ３ｔに表示部５に表示された画像の一例を示した図である。表示部５の画面５２には、時刻Ｔ３ｔに画像データ生成部４において生成出力された被検体Ｐの心臓部におけるＢモード画像データに対応したＢモード画像５２−１が表示されている。そのＢモード画像データのサムネイルデータが、時刻Ｔ３ｔにおける区切サムネイルデータに一致する。
【００６４】
次に、操作者は、例えば被検体Ｐの心臓部における血流情報を得るために、画像データ生成モードを操作部６からカラードプラ画像データへの変更操作を行ったとする。
【００６５】
操作部６からの画像データ生成モード設定操作信号により（図２のステップＳ６）、システム制御部８の内部記憶回路には、検査情報Ｐ−３に画像データ生成モードの変更情報と変更時刻が追加した検査情報Ｐ−４が変更保存される。
【００６６】
操作受付部１１０は、操作部６からの画像データ生成モード設定操作信号を受信して、その操作の操作ログＩＤに変換する。そして、操作受付部１１０は、その操作ログＩＤに受付時刻Ｔ４を付加した情報Ｄを操作ログＩＤ判別部１２０へ出力する。操作ログＩＤ判別部１２０は、操作受付部１１０からの情報Ｄを判別するために、同様に操作設定画面６１で設定された区切操作のログＩＤと照合する。図３の例では、この「画像データ生成モード設定操作」は、区切操作として設定されているので、操作ログＩＤ判別部１２０において適合と判別され、Ｐ検査画像データの録画を行うために、情報Ｄの時刻Ｔ４からｔ時間後の時刻Ｔ４ｔが、画像情報記憶部１３０へ区切時刻情報として出力される。
【００６７】
画像情報記憶部１３０は、同じく制御部１５０の制御に基づいて、この時刻Ｔ４ｔに画像データ生成部４において生成出力されるカラードプラ画像データのＰ検査画像データに、時刻Ｔ４ｔに画像データ生成部４において生成出力される区切サムネイルデータ、時刻Ｔ４ｔにシステム制御部８の内部記憶回路に保存されている検査情報Ｐ−４、及び時刻Ｔ４ｔからなる区切検索情報ｃを付帯させて保存する。
【００６８】
そして、画像情報記憶部１３０のＰ検査画像データには、時刻Ｔ３ｔと時刻Ｔ４ｔによって区分される区分画像データｂが形成される。
【００６９】
図６は、時刻Ｔ４ｔに表示部５に表示された画像の一例を示した図である。表示部５の画面５３には、時刻Ｔ４ｔに画像データ生成部４において生成出力された被検体Ｐの心臓部におけるカラードプラ画像データに対応したカラードプラ画像５３−１が表示されている。そのカラードプラ画像データのサムネイルデータが、時刻Ｔ４ｔにおける区切サムネイルデータに一致する。
【００７０】
次に、操作部６からの「Ｅ操作」により（図２のステップＳ７）、操作受付部１１及び操作ログＩＤ判別部１２０は、「Ａ操作」の場合と同様の動作を行う。なお、「操作Ｅ」に該当する検査情報は含まれていないので、検査情報Ｐ−４は変更されることはない。
【００７１】
次に、操作者は、被検体ＰのＰ検査における録画を終了させるために、操作部６から録画終了のための操作を行ったとする。
【００７２】
操作部６からの録画終了操作信号により（図２のステップＳ８）、画像情報記憶部１３０は、同じく制御部１５０の制御に基づき、録画終了時刻に画像データ生成部４において生成出力されたＰ検査画像データを保存して終了する。このＰ検査画像データには、システム制御部８に保存されている検査情報Ｐ−４及び終了時刻が付帯されて画像情報記憶部１３０に保存される。
【００７３】
そして、画像情報記憶部１３０のＰ検査画像データには、時刻Ｔ４ｔと録画終了時刻によって区分される区分画像データｃが形成される。
【００７４】
次に、操作者は、被検体ＰのＰ検査を終了させるために、操作部６から検査終了の操作を行ったとする。操作部６からの検査終了操作信号により（図２のステップＳ９）、システム制御部８が送受信部２などの動作を停止させる。そして、超音波撮影が終了する。
【００７５】
操作者による被検体ＰのＰ検査終了後、図２の各ステップにおいて画像情報記憶部１３０に保存されたＰ検査画像データを参照して、医師等の診察者による被検体Ｐの診察が行われる。この場合、まずは操作部６からの検査リスト表示操作により、システム制御部８の指令により制御部１５０は、画像情報機億部１３０に保存されている検査画像データから検査リストを作成し、表示部５に検査リスト画面を表示する。
【００７６】
図７は、表示部５に表示された検査リスト画面の一例を示した図である。この検査リスト画面５４には、例えば画像情報記憶部１３０に保存されている検査毎の「検査開始時刻」、「被検体ＩＤ」、「氏名」、「チャプタ数」、「検査種別」などの検査情報が制御部１５０によって読み出されて表示されている。
【００７７】
次に、操作部６からの選択操作により、表示部５の検査リスト画面５４の中から例えば被検体ＰのＰ検査に該当する検査情報５４−１が選択され、その第１チャプタインデックス表示操作が行われると、システム制御部８からインターフェース７、インターフェース１００、制御部１５０を介して制御されるインデックス作成部１４０は、画像情報記憶部１３０のＰ検査画像データに付帯している第１検索情報（即ち録画開始検索情報ａ、区切検索情報ｂ、及び区切検索情報ｃ）を読み出して、各第１検索情報に基づいて第１チャプタａ、第１チャプタｂ、及び第１チャプタｃを作成する。
【００７８】
更に、インデックス作成部１４０は、それらの第１チャプタａ、第１チャプタｂ、第１チャプタｃを時系列的に並べて第１チャプタインデックスを作成した後、表示部５へ送信する。その結果、表示部５には第１チャプタインデックスが表示される。
【００７９】
図８は、表示部５に表示された第１チャプタインデックス画面の一例を示した図である。この第１チャプタインデックス画面５５には、第１チャプタを表示させるためのチャプタ表示エリア５５−１と、そのエリアに表示された第１チャプタに対応した画像データを再生表示させるための画像表示エリア５５−２が設けられている。
【００８０】
チャプタ表示エリア５５−１には、インデックス作成部１４０で作成された第１チャプタが複数の画像データを有する場合には、予め設定された順に並べて表示される。例えば、検査リスト画面５４から検査情報５４−１を選択することにより、第１チャプタａ、第１チャプタｂ、及び第１チャプタｃが検索されたとする。インデックス作成部１４０は、例えば最も古い区切時刻情報を有する第１チャプタａ（５５−１ａ）を一番上にし、次に古い区切時刻情報を有する第１チャプタｂ（５５−１ｂ）をその下に並べて表示し、次に古い区切時刻情報を有する第１チャプタｃ（５５−１ｃ）をその下に並べて表示する。更に、例えば先頭の最も古い区切時刻情報を有する第１チャプタａ（５５−１ａ）が選択されてハイライト表示されると、それに対応するＢモード画像データａが画像表示エリア５５−２に表示される。
【００８１】
図９は、図８のチャプタ表示エリア５５−１に表示された第１チャプタａ（５５−１ａ）を拡大表示した図である。この第１チャプタａ（５５−１ａ）は、第１検索情報によって検索されたサムネイルデータを表示するサムネイル表示エリア５５−１ａａと、そのチャプタ情報を表示するチャプタ情報表示エリア５５−１ａｂとによって構成されている。他の第１チャプタｂ（５５−１ｂ）、第１チャプタｃ（５５−１ｃ）も同じように表示される。
【００８２】
図９の例では、図７の検査情報５４−１によって検索された第１チャプタａ（５５−１ａ）のサムネイルデータ（録画開始サムネイルデータ）に対応したサムネイル５５−１ａｃがサムネイル表示エリア５５−１ａａに表示されており、その拡大画像が図８のＢモード画像５１−１である。そして、チャプタ情報表示エリア５５−１ａｂには、予め操作部６の操作により第１検索情報の中から設定された第１チャプタ情報として、録画開始サムネイルデータを含む録画開始検索情報ａ内の録画開始時刻「Ｔ０」、検査種別「腹部」、画像データ生成モード「Ｂモード画像データ」、及び被検体ＩＤ「７９０３０３１０」などが表示されている。
【００８３】
なお、図８のチャプタ表示エリア５５−１に全ての第１チャプタが表示できない場合には、操作部６からのスクロール操作により、チャプタ表示エリア５５−１内で第１チャプタ６４を上方或いは下方にスクロールさせて表示させることができる。
【００８４】
また、チャプタ表示エリア５５−１の第１チャプタの表示順を、例えば区切時刻情報の時刻の新しい順に設定しておくことにより、上から順に新しい区切時刻情報の時刻を有する第１チャプタが表示される。この場合には、最新の区切時刻情報の時刻を有する第１チャプタがハイライト表示される。このハイライト表示は、操作部６からのハイライト表示移動操作により、所望の第１チャプタへ移動できるようになっている。
【００８５】
また、画像表示エリア５５−２のＢモード画像５１−１に対し操作部６から動画像再生操作が行われた場合、インデックス作成部１４０は、画像情報記憶部１３０から予め設定された再生速度で画像データ５１−１を再生表示する。なお、その再生速度は操作部６の操作で調整可能である。
【００８６】
また、操作部６から動画像ループ再生操作が行われた場合、インデックス作成部１４０は、画像情報記憶部１３０から予め設定された並べ順に沿って、前記再生速度で画像データ５１−１を再生表示する。例えば、図８の例では、ハイライト表示された第１チャプタａ（５５−１ａ）の区分画像データａが画像表示エリア５５−２に再生表示され、次に第１チャプタｂ（５５−１ｂ）に対応した区分画像データｂが画像表示エリア５５−２に再生表示され、更に第１チャプタｃ（５５−１ｃ）に対応した区分画像データｃが画像表示エリア５５−２に再生表示される。そして、第１チャプタの１ループ表示が終了した時点で動画像ループ再生操作による再生動作が終了する。
【００８７】
更に、操作部６からの選択操作により、検査リスト画面５４の中から検査情報５４−１を選択し、更に全画像データの再生操作が行われた場合、インデックス作成部１４０は画像情報記憶部１３０からＰ検査画像データを読み出し、画像表示エリア５５−２に再生表示する。
【００８８】
なお、第１チャプタインデックス画面５５は、チャプタ表示エリア５５−１及び画像表示エリア５５−２に限定されるものではなく、例えば第１チャプタインデックス画面５５には、チャプタ表示エリア５５−１だけを設けて第１チャプタだけを表示させ、そのチャプタ表示エリア５５−１から第１チャプタを選択した場合には、第１チャプタインデックス画面５５に選択した画像データだけを表示できるように切り換え表示させてもよい。
【００８９】
次に、操作部６からの選択操作により、検査リスト画面５４の中から例えば検査情報５４−１を選択し、更に第２チャプタインデックス表示操作が行われた場合、インデックス作成部１４０は画像情報記憶部１３０からＰ検査画像データに付帯している第２検索情報を読み出して第２チャプタを作成する。そして、インデックス作成部１４０は、第２チャプタを予め設定された順に並べて第２チャプタインデックスを作成した後、表示部５へ送信する。そして、表示部５には第２チャプタインデックスが表示される。
【００９０】
図１０は、表示部５に表示された第２チャプタインデックス画面の一例を示した図である。この第２チャプタインデックス画面５７には、最大Ｎ×Ｍ個の第２チャプタが予め設定された順に並べられて表示されるチャプタ表示エリア５７−１が設けられている。
【００９１】
このＮ×Ｍ個の各第２チャプタは、図９と同様にサムネイルデータと、そのサムネイルデータに設定された第２チャプタ情報によって構成されている。
【００９２】
例えば、図２の録画操作で、操作部６から静止画像保存操作、或いは動画保存操作が（Ｍ×Ｎ−１）回あって画像情報記憶部１３０に保存したとすると、インデックス作成部１４０は、それらの操作時刻に対応して作成された第２チャプタのサムネイルデータと第２チャプタ情報とからなる第２チャプタ５７−１２乃至５７−ＭＮを予め設定された順に並べてチャプタ表示エリア５７−１に表示する。
【００９３】
この時、第２チャプタ５７−１１はＰ検査画像データに対応するので、この第２チャプタ５７−１１にはＰ検査画像データの録画開始サムネイルデータと、予め操作部６の操作により第２検索情報の中から設定された第２チャプタ情報とが表示される。
【００９４】
そして、予め第２チャプタ情報に表示させる情報として、例えば静止画像或いは動画像保存操作時刻、検査種別、画像データ生成モード、被検体ＩＤ、静止画像或いは動画像の種別（画像種別）、動画像録画時間などを設定しておいたとすると、第２チャプタ５７−１１には静止画像或いは動画像保存操作時刻（録画開始時刻）「Ｔ０」、検査種別「腹部」、画像データ生成モード「Ｂモード画像データ」、被検体ＩＤ「７９０３０３１０」などが表示される。
【００９５】
更に、第２チャプタ５７−１２乃至５７−ＭＮの第２チャプタ情報には、静止画像或いは動画像保存操作時刻、検査種別、画像データ生成モード、被検体ＩＤなどに加えて、画像種別「静止画像」或いは「動画像」、画像種別が「動画像」の場合には動画像録画時間「５秒」も表示される。
【００９６】
そして、操作部６からのハイライト表示移動操作により、例えば第２チャプタ５７−１２をハイライト表示させ、更に再生操作が行われた場合、インデックス作成部１４０は、切り換え表示によりその第２チャプタ５７−１２に対応した区分画像データをチャプタ表示エリア５７−１に再生表示する。また、この区分画像データが動画像データの場合には、予め設定された再生速度で再生表示する。
【００９７】
また、操作部６から画像ループ再生操作が行われた場合、インデックス作成部１４０は、ハイライト表示された第２チャプタから予め設定された並べ順に沿って、第２チャプタに対応した区分画像データがチャプタ表示エリア５７−１に再生表示する。なお、その区分画像データが動画像データの場合には前記再生速度で再生表示され、静止画像データの場合には所定時間再生表示された後、次の第２チャプタの区分画像データが表示される。そして、第２チャプタの１ループの再生表示が終了した時点で画像ループ再生操作による再生動作が終了する。
【００９８】
なお、第２チャプタインデックス画面５７は、チャプタ表示エリア５７−１に限定されるものではなく、例えば第２チャプタインデックス画面５７には、複数の第２チャプタを表示させるための第２チャプタ表示エリアと、第２チャプタ表示エリアの選択表示された第２チャプタに対応する区分画像データを表示させるための画像表示エリアを設けるようにしてもよい。
【００９９】
実施例１に係る医用画像閲覧支援システムによれば、区切りとなる操作に区切操作を設定しておくことにより、検査中の検査ための区切操作によって検査画像データが区分され、区分された画像データには区切操作に基づいて検索情報を付帯させることができる。また、検査中の静止画像保存操作或いは動画像保存操作によっても、検査画像データが区分され、その区分画像データにはその操作に基づいて検索情報を付帯させることができるのでので、操作者は検査に専念することができる。
【０１００】
また、検査画像データを閲覧する場合、画像情報記憶部に保存されている全ての検査のリストを表示させることができるので容易に所望の検査画像データを検索することができる。更に、その検査におけるサムネイルデータやチャプタ情報を含むチャプタを表示させ、且つ同時にチャプタの区分画像データを再生表示させることができるので、容易に所望の区分画像データを検索することができる。このように、容易に検査画像データ及び区分画像データを検索することができるので診断の効率を図ることができる。
【０１０１】
なお、本発明は上記実施例１に限定されるものではなく、例えば画像記憶閲覧部１８０内部に表示部と表示部の操作を行うための操作部を設け、検査リスト、第１チャプタインデックス、第２チャプタインデックスの表示や画像データの再生表示をさせるようにしてもよい。
【０１０２】
また、操作部からの全ての区切操作に対して、その区切操作信号が発生した時刻からｔ２時間後の時刻に画像データ生成部からその区切操作信号に基づいた鮮明なサムネイルデータデータが生成出力される場合、その区切操作信号が発生した時刻からｔ２時間後の時刻を区切時刻情報として実施するようにしてもよい。
【０１０３】
更に、第１チャプタ情報からも区分画像データを検索することができるようになっているので、区切時刻情報の時刻ではなく操作ログＩＤ判別部１２０の適合判定された操作ログＩＤの受付時刻に画像データ生成部で生成出力されるけるサムネイルデータを用いるようにしてもよい。
【実施例２】
【０１０４】
以下、本発明に係る超音波診断装置の実施例２を、図１１を参照して説明する。図１１は、実施例２に係る超音波診断装置の構成を示したブロック図である。図１１に示した実施例２が図１における実施例１と異なる点は、図１の超音波診断装置２００における超音波診断部１０のシステム制御部８及び画像記憶閲覧部１８０の制御部１５０を超音波診断装置２００ａのシステム制御部８ａに置き換えた点である。
【０１０５】
超音波診断装置２００ａは、図１の超音波診断部１０のシステム制御部８と画像記憶閲覧部１８０の制御部１１０を統合したシステム制御部８ａを備え、超音波診断装置２００における超音波診断部１０のインターフェース７及び画像閲覧記憶部１８０のインターフェース１００が取り除かれたのと同様の構成になっている。上記の構成以外は、実施例１の超音波診断装置２００の動作と同様なので、その説明を省略する。
【０１０６】
実施例２に係る超音波診断装置２００ａによれば、区切りとなる操作に区切操作を設定しておくことにより、検査中の検査ための区切操作によって検査画像データが区分され、区分された画像データには区切操作に基づいて検索情報を付帯させることができる。また、検査中の静止画像保存操作或いは動画像保存操作によっても、検査画像データが区分され、その区分画像データにはその操作に基づいて検索情報を付帯させることができるのでので、操作者は検査に専念することができる。
【０１０７】
また、検査画像データを閲覧する場合、画像情報記憶部に保存されている全ての検査のリストを表示させることができるので容易に所望の検査画像データを検索することができる。更に、その検査におけるチャプタを表示させ、且つ同時にチャプタの区分画像データを再生表示させることができるので、容易に所望の区分画像データを検索することができる。このように、容易に検査画像データ及び区分画像データを検索することができるので診断の効率を図ることができる。
【図面の簡単な説明】
【０１０８】
【図１】本発明の実施例１に係る超音波診断装置の構成を示すブロック図。
【図２】本発明の実施例１に係る検査に関する操作の手順とその操作に連動する超音波診断装置の動作を示すフローチャート。
【図３】本発明の実施例１に係る区切操作設定画面の一例を示す図。
【図４】本発明の実施例１に係る画面の一例を示す図。
【図５】本発明の実施例１に係る画面の一例を示す図。
【図６】本発明の実施例１に係る画面の一例を示す図。
【図７】本発明の実施例１に係る検査リスト画面の一例を示す図。
【図８】本発明の実施例１に係る第１チャプタインデックス画面の一例を示す図。
【図９】本発明の実施例１に係る第１チャプタの一例を示す図。
【図１０】本発明の実施例１に係る第２チャプタインデックス画面の一例を示す図。
【図１１】本発明の実施例２に係る超音波診断装置の構成を示すブロック図。
【符号の説明】
【０１０９】
Ｐ  被検体
１  超音波プローブ
２  送受信部
３  受信信号処理部
４  画像データ生成部
５  表示部
６  操作部
７  インターフェース
８、８ａ  システム制御部
１０  超音波診断部
１００  インターフェース
１１０  操作受付部
１２０  操作ログＩＤ判別部
１３０  画像情報記憶部
１４０  インデックス作成部
１５０  制御部
１８０  画像記憶閲覧部
２００、２００a  超音波診断装置
【図１】
2006075513.tif 000003
【図２】
2006075513.tif 000004
【図３】
2006075513.tif 000005
【図４】
2006075513.tif 000006
【図５】
2006075513.tif 000007
【図６】
2006075513.tif 000008
【図７】
2006075513.tif 000009
【図８】
2006075513.tif 000010
【図９】
2006075513.tif 000011
【図１０】
2006075513.tif 000012
【図１１】
2006075513.tif 000013